(57)【要約】      （修正有）【課題】財布の多様な形状、サイズに、容易に適合させることができ、財布に装着したままカードを挿抜でき、ストラップを取り付けて着衣やカバンなどに固定することにより、財布やカードの紛失、盗難を防ぐことができるカードホルダーを提供する。【解決手段】カードの長辺で挿抜するカード収納部、軟質塩化ビニール材で形成するジョイント部、収納したカードの短辺と平行する片短辺部を重ね合わせるオーバーラップ部、ならびにストラップ取り付け部で構成される。オーバーラップ部を重ね合わせた状態を最短間隔とし、折り曲げ自在なジョイントバーに軟質塩化ビニール材で形成する吸着部とそれぞれのカードホルダーのジョイント部との吸着によりカードホルダーの連結間隔を設定して財布ポケットに装着する。【選択図】図１
0003167588.tif 000002
【実用新案登録請求の範囲】
【請求項１】
カードの長辺で挿抜するカード収納部、収納したカードの短辺と平行する片端辺部を重ねるオーバーラップ部、折り曲げ自在なジョイントバーに形成される吸着部に吸着保持されるジョイント部、ならびにストラップ取り付け部からなる、分離された一対のカードホルダーをジョイントバーで連結して構成する財布ホルダーに関して、ジョイントバーの吸着部ならびにジョイント部をともに軟質塩化ビニール材で形成し、必要によりオーバーラップ部を重ね合わせるとともに、ジョイントバーの所要吸着位置にカードホルダーのジョイント部を吸着させてカードホルダーの配置間隔を設定して財布ポケットに装着することにより、長財布、二つ折り財布など多様な形状、サイズに対して最小スペース、容易な設定で最適に適合させることができ、財布に装着したままカードを挿抜でき、ストラップを取り付けて着衣やカバンなどに固定することにより、財布やカードの紛失、盗難を防ぐことができる財布＆カードホルダー。
【請求項２】
請求項１に記載するカードホルダーに挿入されたカードの少なくとも片面をほぼカバーするスキミング防止シートを内装することにより、長財布、二つ折り財布など多様な形状、サイズの財布に装着したままカードを挿抜でき、ストラップを取り付けて着衣やカバンなどに固定することにより、財布やカードの紛失、盗難を防ぐとともに、ＩＣカードをスキミングから保護することが出来る財布＆カードホルダー。
【考案の詳細な説明】
【技術分野】
【０００１】カードの長辺で挿抜するカード収納部、収納したカードの短辺と平行する片端辺部を重ねるオーバーラップ部、折り曲げ自在なジョイントバーに形成される吸着部に吸着保持されるジョイント部、ならびにストラップ取り付け部からなる、分離された一対のカードホルダーをジョイントバーで連結して構成する財布ホルダーに関して、ジョイントバーの吸着部ならびにジョイント部をともに軟質塩化ビニール材で形成し、必要によりオーバーラップ部を重ね合わせるとともに、ジョイントバーの所要吸着位置にカードホルダーのジョイント部を吸着させてカードホルダーの配置間隔を設定して財布ポケットに装着することにより、長財布、二つ折り財布など多様な形状、サイズに対して最小スペース、容易な設定で最適に適合させる。
【背景技術】
【０００２】財布は洋服のポケットやカバンなどに入れて携帯することが多いが，ポケットからの滑り落ちによる紛失や，抜き取りにより盗難に合う危険も多い。この様なトラブルを防止するために，財布のポケットに装着してストラップなどで着衣やカバンに固定するホルダーはすでに実用化されているが、財布ポケットの幅が多様であるため、長財布や二つ折り財布の何れにも最適に適合し、かつ財布に装着したままでカードの挿抜が出来るタイプが求められている。
【考案が解決しようとする課題】
【０００３】財布のデザインや色は個人の趣味で選ぶ傾向が強く、気に入った財布を何ら加工なしに使え、かつ、カード入れも備えた盗難防止ホルダーが強く求められている。しかし長財布、二つ折り財布などの多様な形状、サイズに適合させるためには、ホルダーが分厚くなるなどの課題も多く実用化の障害になっている。本考案では、かかる課題を解決して、長財布、二つ折り財布など多様な形状、サイズに対して最小スペース、容易な設定で最適に適合させることができ、財布に装着したままカードを挿抜でき、ストラップを取り付けて着衣やカバンなどに固定することにより、財布やカードの紛失、盗難を防ぐことができる財布＆カードホルダーを実現する。
【課題を解決するための手段】
【０００４】分離した一対のカードホルダーで財布＆カードホルダーを構成し、カードホルダーを重ね合わせて財布ホルダーの幅を狭くするオーバーラップ部と、ジョイントバーとの吸着で幅を広くするジョイント部で形成する。ジョイントバーの吸着部とジョイント部をともに軟質塩化ビニール材で形成し、ポケット幅の狭い長財布に対してはオーバーラップ部を所要サイズ重ね合わせてジョイント部をジョイントバーに吸着させ、二つ折り財布に対してはジョイント部をジョイントバーに吸着させてカードホルダーの間隔をマチ幅に合わせて連結する。
【考案の効果】
【０００５】長財布、二つ折り財布など多様な形状、サイズに対して最小スペース、容易な設定で最適に適合させることができ、財布の紙幣挿抜方向でカードを挿抜するため、財布に装着したままカードを挿抜でき、ストラップを取り付けて着衣やカバンなどに固定することにより、財布やカードの紛失、盗難を防ぐことができる財布＆カードホルダーが実現される。さらに、請求項２に示す構成により、装着したＩＣカードをスキミングから保護することができる。
【考案を実施するための形態】
【０００６】多様な財布に対応するためには、長財布の長辺幅と二つ折り財布のマチ幅がポイントになる。一般的に長財布の長辺幅はカードの長辺を横に二枚並べたサイズに近く、短辺幅はカードを立てては装着できない。また、折り返し財布のマチ幅は２０〜３０ｍｍ程度で、財布を広げた状態では長財布よりマチ幅分広くなる。さらに、二つ折り財布のマチ部は折り曲げが必要であり、硬質なカードをマチ部にはみ出して装着することは出来ない。これらの制約条件によって、カードを装着するカードホルダーは二つ折り財布のマチ部で分離する一対構成とし、マチ部では折り曲げ自在な連結構造で結ぶことが必要になる。また、長財布に関しては、財布によっては一対のカードホルダーを単に並置した場合は、若干広幅となることも有るため、お互いの一部を重ね合わせて幅を狭くする構造も必要となる。
【０００７】図１は一対のカードホルダー１，２をジョイントバー３により所定間隔を設けて連結した財布＆カードホルダーを示す。４，５，６はストラップを取り付ける止め部であり、挿抜するカード７，８は矢印方向に長辺で挿抜する。財布＆カードホルダーの幅はＬである。図２はカードホルダーの対向する片端のオーバーラップ部を重ね合わせて幅Ｌを狭くした例を示す。このように、一対のカードホルダーはオーバーラップ部、ジョイント部、ならびにジョイントバーにより財布＆カードホルダーのサイズＬを財布のポケットサイズに合わせて財布ポケットに装着する。図３はカードホルダー１の構成を示し、カードポケットをそれぞれの表裏に備えるなど表裏は相似に形成される。図面ではベースプレート９の外面にカードを装着するカードポケット１１，ベースプレート１０の内面に軟質塩化ビニールシートで形成するサブプレート１２が見えている。鎖線１３，１４は表裏を接合する溶着域を示しており、Ｌ１はカードホルダーの幅、Ｌ２は底部の溶着幅を示し、Ｌ１−Ｌ２が端部の重ね合わせ幅を示し、この部分は表裏を溶着せず開放する。サブプレートは軟質塩化ビニールシートで形成されるため、表裏のサブプレートの間に配置されるジョイントバーの吸着部とは軟質塩化ビニールシートの表面に溶出する可塑剤、ならびに表面の平滑性により相互に吸着し剥離し難い性質を有しているため、ジョイントバーやサブプレートとの連結に適している。
【０００８】図４はカードホルダーを連結するジョイントバーを示し、全体が軟質塩化ビニールシートで形成されている。ジョイント部とジョイントバーの位置合わせのための空間を狭くすると軟質塩化ビニール同士の吸着により設定がやり難くなるため、ジョイント部周辺は完全な袋状とせず広く開口している。また、ジョイントバーは二つ折り財布のマチ部を通過するため、折り曲げ自在な材質とする必要が有り、軟質塩化ビニールシートで、マチ幅を十分に超える幅サイズで形成する。なお、カードホルダーの連結構造に関しては粘着ゴムや面ファスナーなども考えられるが、粘着ゴムは汚れ易く汚れると粘着力が極度に低下し、面ファスナーは厚みや硬さなどに課題があり、軟質塩化ビニールが最適である。
【０００９】近年は非接触ＩＣカードの普及により、気付かない状態でのスキミングが社会問題化している。ＩＣカードは接触端子を介して電力を外部から供給する接触タイプと、カードに内蔵するアンテナで電磁波から供給を受ける非接触タイプがあり、接触タイプはスキミングしようとする者の手にカードが渡らない限りスキミングされるリスクは少ないが、非接触タイプはＩＣによる高度なセキュリティ対策がほどこされているものの、リーダー・ライターとの間の電磁波（密接型は４．９１ＭＨｚ、近接型は１３．５６ＭＨｚの電磁波）を悪用することにより、カードの保持者が気付かずにカード情報をスキミングされる恐れがある。このため、導電体シートを非接触ＩＣカードの近傍に配置して電磁波遮蔽を行う対策が有効であり、導電素材で構成される導電体シートがリーダー・ライターとカードとの間に位置する場合は電磁波はシート表面で反射され、導電体シートがカードの背面に位置する場合は発生する渦電流により、いずれも非接触ＩＣカードの正常なリード・ライトは出来ずスキミングは防がれる。図５はベースプレート１０とサブプレート１２の間に導電性のスキミング防止シート１５を組み込んだ、請求項２に記載されるカードホルダーを示す。スキミング防止シートはカードへの密接度や位置ずれに対しては若干の余裕が有るため、表裏のカードホルダーの片方だけに内装しても良い。
【実施例】
【００１０】カードホルダーは８７×７５ｍｍ、ベースプレートは厚さ０．３ｍｍのビニール、サブプレートは０．２ｍｍの軟質塩化ビニール、カードポケットは８７×５５ｍｍで厚さ０．３ｍｍのビニール、ジョイントバーは５０×１４０ｍｍで厚さ０．５ｍｍの軟質塩化ビニールとし、カードホルダーの各部材の接合は溶着とし、重ね合わせのジョイント幅（Ｌ１−Ｌ２）は１０ｍｍとし表裏を溶着せず開放した。ストラップ止め部はΦ３ｍｍの丸穴とし、スキミング防止シートはアルミ素材とした。このように構成した財布＆カードホルダーを財布に装着した例が図６（長財布）、図７に（二つ折り財布）に示される。長財布ではストラップ１６は財布の上蓋の隙間から、二つ折り財布ではマチ部の割れ目から引き出して使用することにより、財布からホルダーが抜け墜ちることは完全に防がれる。ジョイントバーに取り付けるストラップはカードホルダーの底が閉じられているためジョイントバーが脱落することは無い。また、軟質塩化ビニール材はカードなどには直接接触しない構造としてあるため、カードなどへの張り付きや色移りなどの心配も全く無い。【００１１】実施例ではジョイントバーをカードホルダーの表裏のサブプレート（軟質塩化ビニール）で挟む構成としたが、サブプレートは表裏の片方に形成しても良く、ジョイント部はカードホルダーの片側のポケットを利用したり、底部に設ける構成も可能であり、ジョイント部の位置が変更となる場合はオーバーラップ部の構造も合わせて変更が必要となる。ジョイント部やジョイントバーの吸着部は形成する範囲を限定しても良く全面に形成する必要は無い。ベースプレートなどの素材は合成樹脂材が望ましく、スキミング防止シートもアルミ材に限定されるものではないなど、機能、性能、素材、ディメンジョンなどに関しては、本考案の趣旨を逸脱しない範囲であれば種々変形実施が可能である。
【図面の簡単な説明】
【００１２】
【図１】本考案による財布・カードホルダーの構成概念図を示す
【図２】オーバーラップ部を重ねた状態の概念図を示す
【図３】カードホルダーの構成概念図を示す
【図４】ジョイントバーの構成概念図を示す
【図５】スキミング防止シートを内装したカードホルダーの構成概念図を示す
【図６】長財布に財布＆カードホルダーを装着した概観図を示す
【図７】二つ折り財布に財布＆カードホルダーを装着した概観図を示す
【符号の説明】１  カードホルダー          ９  ベースプレート    Ｌ  財布＆カードホルダー幅
２  カードホルダー        １０  ベースプレート    Ｌ１カードホルダー幅
３  ジョイントバー        １１  カードポケット    Ｌ２底部溶着幅
４  ストラップ止め部      １２  サブプレート
５  ストラップ止め部      １３  表裏溶着領域
６  ストラップ止め部      １４  表裏溶着領域
７  カード                １５  スキミング防止シート
８  カード                １６  ストラップ
【図１】
0003167588.tif 000003
【図２】
0003167588.tif 000004
【図３】
0003167588.tif 000005
【図４】
0003167588.tif 000006
【図５】
0003167588.tif 000007
【図６】
0003167588.tif 000008
【図７】
0003167588.tif 000009
【手続補正書】
【提出日】平成22年12月6日(2010.12.6)
【手続補正１】
【補正対象書類名】実用新案登録請求の範囲
【補正対象項目名】全文
【補正方法】変更
【補正の内容】
【実用新案登録請求の範囲】
【請求項１】
カードの長辺で挿抜するカード収納部、軟質塩化ビニール材で形成するジョイント部、収納したカードの短辺と平行する片短辺部を重ね合わせるオーバーラップ部、ならびにストラップ取り付け部でそれぞれ構成される分離した一対のカードホルダーに関して、オーバーラップ部を重ね合わせた状態を最短間隔とし、折り曲げ自在なジョイントバーに軟質塩化ビニール材で形成する吸着部とそれぞれのカードホルダーのジョイント部との吸着によりカードホルダーの連結間隔を設定して財布ポケットに装着することにより、長財布、二つ折り財布など多様な形状、サイズに対して最小スペース、容易な設定で、財布ポケットに最適なサイズで装着することができ、財布に装着したままカードを挿抜でき、ストラップを取り付けて着衣やカバンなどに固定することにより、財布やカードの紛失、盗難を防ぐことができる財布とカードのホルダー。
【請求項２】
請求項１に記載するカードホルダーに挿入されたカードの少なくとも片面をほぼカバーするスキミング防止シートをそれぞれのカードホルダーに内装することにより、長財布、二つ折り財布など多様な形状、サイズの財布に装着したままカードを挿抜でき、ストラップを取り付けて着衣やカバンなどに固定することにより、財布やカードの紛失、盗難を防ぐとともに、カードホルダーに挿入されたＩＣカードをスキミングから保護することが出来る財布とカードのホルダー。
【手続補正書】
【提出日】平成23年1月31日(2011.1.31)
【手続補正１】
【補正対象書類名】実用新案登録請求の範囲
【補正対象項目名】全文
【補正方法】変更
【補正の内容】
【実用新案登録請求の範囲】
【請求項１】
カードの長辺で挿抜するカード収納部、軟質塩化ビニール材で形成するジョイント部、収納したカードの短辺と平行する片短辺部を重ね合わせるオーバーラップ部、ならびにストラップ取り付け部でそれぞれ構成される分離した一対のカードホルダーに関して、オーバーラップ部を重ね合わせた状態を最短間隔とし、折り曲げ自在なジョイントバーに軟質塩化ビニール材で形成する吸着部とそれぞれのカードホルダーのジョイント部との吸着によりカードホルダーの連結間隔を設定して財布ポケットに装着することにより、長財布、二つ折り財布など多様な形状、サイズに対して最小スペース、容易な設定で、財布ポケットに最適なサイズで装着することができ、財布に装着したままカードを挿抜でき、ストラップを取り付けて着衣やカバンなどに固定することにより、財布やカードの紛失、盗難を防ぐことができるカードホルダー。
【請求項２】
請求項１に記載するカードホルダーに挿入されたカードの少なくとも片面をほぼカバーするスキミング防止シートをそれぞれのカードホルダーに内装することにより、長財布、二つ折り財布など多様な形状、サイズの財布に装着したままカードを挿抜でき、ストラップを取り付けて着衣やカバンなどに固定することにより、財布やカードの紛失、盗難を防ぐとともに、カードホルダーに挿入されたＩＣカードをスキミングから保護することが出来るカードホルダー。